(57)【要約】【課題】ロールの装着に際し、ペーパーカッタの開度を小さくできるとともに、ロールの装着を容易に行なうことできるロールホルダーを提供する。【解決手段】ホルダー本体２と、該本体２の前方へ突出する一対の側部３に組付けられるサイドカバー４と、該カバー４の壁面に開口した開口部の背面側下部に設けられる支持部６に嵌着される保持爪７とからなり、該保持爪７が前記支持部６を支点としてホルダー本体２の斜め前方へ傾動できるように前記支持部６に支持されている。【選択図】図３
2008110224.tif 000002
【特許請求の範囲】
【請求項１】
ホルダー本体と、該本体の前方へ突出する一対の側部に組付けられるサイドカバーと、該カバーの壁面に開口した開口部の背面側下部に設けられる支持部に嵌着される保持爪とからなり、該保持爪が前記支持部を支点としてホルダー本体の斜め前方へ傾動できるように前記支持部に支持されてなるロールホルダーであって、前記保持爪の両側面に係止突起が形成されており、前記支持部の近傍部位に前記係止突起に当接するガイドが形成されてなり、
前記サイドカバーの開口部の背面側上部に、前記保持爪の背面側の下部に延びる、コ字形状の囲い部を介して、両側部に間隙が設けられた板バネが設けられ、前記保持爪の長手方向の軸が、垂直方向から前方に２５〜５０°傾斜し、かつ保持爪の自由端が、支持部に対して斜め前方に支持され、
前記保持爪の背部の下部が円弧面に形成されてなる
ロールホルダー。
【発明の詳細な説明】
【技術分野】
【０００１】
本発明はロールホルダーに関する。さらに詳しくは、円筒状芯部にペーパーまたはビニール袋などをロール状に巻き取ったロールの内芯を片手で回転自在に保持させることができるロールホルダーに関する。
【背景技術】
【０００２】
従来より、ペーパーをロール状に巻き取ったロールには、トイレットペーパーやペーパータオルなどがあり、たとえばトイレットペーパーを保持するロールホルダーＡとして、本体から前方へ突出する一対のアームの内側に、それぞれ上向きにのみ折畳むことができ、かつ互いに向き合うように設けられる一対の突起部材を備えるものがある。この突起部材は、アームに約９０°の範囲で回動自在にされるとともに、コイルバネにより水平方向に維持されている。
【０００３】
しかし、かかるロールホルダーＡでは、突起部材を付勢するコイルバネが比較的弱いので、このコイルバネに代えて付勢力の大きい板バネを用いたロールホルダーＢがある（特許文献１参照）。
【０００４】
【特許文献１】実公平５−１１８３５号公報
【発明の開示】
【発明が解決しようとする課題】
【０００５】
前記ロールホルダーＢでは、突起部材が板バネの大きな付勢力により維持されているため、強く紙を引き出す場合にトイレットペーパーが突起部材から抜け落ちることはない。
【０００６】
しかしながら、前記突起部材は、上下方向に約９０°の範囲で回動するため、トイレットペーパーの芯部に突起部材を挿入させる場合、該トイレットペーパーをその頂部が前記本体の上面から露出させるように持ち上げなければならない。このとき、前記本体の後方上端に設けられるペーパーカッタも持ち上げられるため、本体の上方部位に芳香剤容器や花びんなどを置くための棚部を設ける場合には、該本体と棚部とのあいだに大きな空間が必要になり、ロールホルダーの上部周辺部をコンパクトにすることができない。
【０００７】
本発明は、叙上の事情に鑑み、ロールの装着に際し、ペーパーカッタの開度を小さくできるとともに、ロールの装着を容易に行なうことできるロールホルダーを提供することを目的とする。
【課題を解決するための手段】
【０００８】
本発明のロールホルダーは、ホルダー本体と、該本体の前方へ突出する一対の側部に組付けられるサイドカバーと、該カバーの壁面に開口した開口部の背面側下部に設けられる支持部に嵌着される保持爪とからなり、該保持爪が前記支持部を支点としてホルダー本体の斜め前方へ傾動できるように前記支持部に支持されてなるロールホルダーであって、前記保持爪の両側面に係止突起が形成されており、前記支持部の近傍部位に前記係止突起に当接するガイドが形成されてなり、前記サイドカバーの開口部の背面側上部に、前記保持爪の背面側の下部に延びる、コ字形状の囲い部を介して、両側部に間隙が設けられた板バネが設けられ、前記保持爪の長手方向の軸が、垂直方向から前方に２５〜５０°傾斜し、かつ保持爪の自由端が、支持部に対して斜め前方に支持され、前記保持爪の背部の下部が円弧面に形成されてなることを特徴とする。
【発明の効果】
【０００９】
以上説明したとおり、本発明によれば、保持爪が傾斜しているため、ペーパーカッタの開度を従来よりも小さくでき、ホルダー本体の上部位置の棚に近づけて取り付けることができる。
【００１０】
また保持爪の下部を円弧面に形成することにより、ロールを装着させる動作が、肘を支点としてホルダー本体の下方から斜め前方および斜め前方から下方に向かう往復円弧の軌跡になる。このため、腕の動きが滑らかになり、ロールの装着を容易に行なうことができる。
【発明を実施するための最良の形態】
【００１１】
以下、添付図面に基づいて本発明のロールホルダーを説明する。
【００１２】
図１は本発明のロールホルダーの一実施の形態を示す正面図、図２は図１におけるロールホルダーの右側面図、図３は図２におけるＡ−Ａ線断面図、図４は図１におけるＢ−Ｂ線断面図、図５は図１におけるＣ−Ｃ線断面図、図６は図５におけるＤ−Ｄ線断面の拡大図、図７は右側サイドカバーの左側面図、図８は右側サイドカバーの正面図、図９は右側サイドカバーの背面図、図１０は図９におけるＥ−Ｅ線断面の拡大図、図１１は保持爪の側面図、図１２は保持爪の平面図、図１３は保持爪の正面図である。
【００１３】
図１〜６に示されるように、本発明の一実施の形態にかかわるロールホルダーは、たとえばトイレットペーパーＰの芯部Ｐａを保持させることができるように、キャビネット１やタイルなどの壁面に取り付けられるホルダー本体２と、該本体２の前方へ突出する一対の側部３に組付けられるサイドカバー４と、該カバー４の壁面に開口した開口部５の背面側下部に設けられる支持部６に嵌着される保持爪７とから構成されている。そして前記保持爪７は前記支持部６を支点としてホルダー本体２の斜め前方へ傾動できるように前記支持部６に支持されている。
【００１４】
前記ホルダー本体２は、その側部３が空洞に成形されたコ字形状を呈しており、前記サイドカバー４が当該空洞内にホルダー本体２の背面側から差し込められたのち、ベース８と側部３に接着剤などにより組付けられている。図３および図８〜９に示されるように、当該組付けに際し、前記サイドカバー４の背面および後端側面には、ホルダー本体２の側部３に差し込んだときの位置決め用突起片９ａ、９ｂ、９ｃおよび９ｄがそれぞれ形成されている。本実施の形態では、ホルダー本体２の後方側のベース８の上部にペーパーカッタ１０が開閉自在に設けられているが、該ペーパーカッタ１０を、たとえば前記キャビネット１に設けることもできる。なお、１１は壁面に取り付けるためのねじ孔である。
【００１５】
前記サイドカバー４の開口部５は、図４〜５、図７および図９〜１０に示されるように、ホルダー本体２の前方に傾斜して開口しており、該開口部５の背面側には、コ字形状の囲い部１２が形成されるとともに、開口部５の背面側上部に板バネ１３が設けられている。該板バネ１３は、前面が凹面になるように湾曲に形成されて前記保持爪７の背面側の下部に延びており、先端には膨出部１４が形成されている。前記支持部６は、前記囲い部１２の下部開口端にそれぞれ設けられ、Ｕ字状を呈している。該支持部６の嵌着凹部１５には、後述する保持爪７の両側面から突出する支持突起２３が嵌着され、保持爪７を前記開口部５の内外の位置へ回動自在にできるように支持している。本実施の形態では、保持爪７が回動して開口部５内に入ると、前記板バネ１３の先端膨出部１４が保持爪７の背面を付勢して常時保持爪７を開口部５内から突出させるようにしている。なお、前記支持部６の近傍部位、たとえば上部に、後述する保持爪７の両側面に形成される係止突起２４に当接するガイド１６を形成するのが好ましい。かかるガイド１６と係止突起２４により、保持爪７が回動して開口部５の奥側に入いり過ぎるのが制止され、保持爪７が前記板バネ１３を押し上げて支持部６から抜け落ちるのを防止することができる。
【００１６】
前記保持爪７は、図１１〜１３に示されるように、内部が空洞に成形されており、上端表面がトイレットペーパーＰの芯部Ｐａの内筒面に接触できるように円弧面に形成された保持部２０と、長手方向に湾曲した背部２１と、両側の壁部２２と、該壁部２２の下方における両側面に形成される、支持突起２３および該支持突起２３から離れた上部位置の係止突起２４と、前記背部２１の下端に形成される肩部２５とから構成されている。該保持爪７は、支持突起２３が下方に位置しているため、保持爪７の重心が該支持突起２３から離れた位置にある。このため、該保持爪７の支持突起２３を嵌着凹部１５に嵌め込むと、前記保持爪７の下端に形成される肩部２５が開口部５の下端縁部２６に係止し、保持爪７が斜め前方（図４〜６参照）に支持される。本実施の形態では、保持爪７が傾斜しているため、該保持爪７の回動時、保持部２０の上下方向の移動距離が従来よりも少なくなるとともに、トイレットペーパーＰの芯部Ｐａを保持爪７に挿入する方向が斜め下方向になるため、従来よりもトイレットペーパーＰの装着および取り外し時のペーパーカッタ１０の開度を小さくすることができる。なお、前記保持爪７の傾斜角度θとしては、たとえば２５〜５０°とすることができる。
【００１７】
また、前記保持爪７である背部２１の下部が円弧面２７に形成されている。したがって、図４〜５に示されるように、保持爪７は傾斜して支持されているため、この保持爪７の円弧面２７において、トイレットペーパーＰを下方から上昇させると、該ペーパーＰの外周縁が円弧面２７に当接したときに、保持爪７を僅かに斜め前方に移動させる分力が働き、該ペーパＰを保持爪７に沿わせながら、保持爪７を開口部５側に回動させ、ついで保持爪７の保持部２０がペーパーＰの芯部Ｐａに入り込むと、保持爪７を斜めからペーパーＰの芯部Ｐａに滑らかに挿入することができる。これにより、ペーパーＰの装着を容易に行なうことができる。また、ペーパーＰを逆向きに装着してしまった時、ペーパーＰを前方へ引き出すことにより、芯部Ｐａが保持爪７の円弧面２７に当接したとき、保持爪７を斜め前方に移動させる分力が働き、保持爪７を開口部５側に回動させ滑らかにペーパーＰを取り出すことができる。
【００１８】
なお、本実施の形態では、開口部が傾斜して開口されているが、傾斜した保持爪を該開口部内に入り込ませることができる形状であれば、とくに傾斜させる必要はない。また保持爪７の背部２１の下部が円弧面２７に形成されているが、ペーパーＰを装着および取り外す時、保持爪７を斜め前方に移動させる分力が働く形状であれば、とくに円弧面２７でなくても円弧面以外の滑らかな傾斜面、たとえば山形の面にすることもできる。さらに本実施の形態では、ホルダー本体がコ字形状に成形されているが、本発明においては、これに限定されるものではなく、ホルダー本体をＥ字形状に成形し、トイレットペーパーを２個保持できるようにすることもできる。
【図面の簡単な説明】
【００１９】
【図１】本発明のロールホルダーの一実施の形態を示す正面図である。
【図２】図１におけるロールホルダーの右側面図である。
【図３】図２におけるＡ−Ａ線断面図である。
【図４】図１におけるＢ−Ｂ線断面図である。
【図５】図１におけるＣ−Ｃ線断面図である。
【図６】図５におけるＤ−Ｄ線断面の拡大図である。
【図７】右側サイドカバーの左側面図である。
【図８】右側サイドカバーの正面図である。
【図９】右側サイドカバーの背面図である。
【図１０】図９におけるＥ−Ｅ線断面の拡大図である。
【図１１】保持爪の側面図である。
【図１２】保持爪の平面図である。
【図１３】保持爪の正面図である。
【符号の説明】
【００２０】
１  キャビネット
２  ホルダー本体
３  側部
４  サイドカバー
５  開口部
６  支持部
７  保持爪
８  本体ベース
９ａ、９ｂ、９ｃ、９ｄ  位置決め用突起片
１０  ペーパーカッタ
１１  ねじ孔
１２  囲い部
１３  板バネ
１４  膨出部
１５  嵌着凹部
１６  ガイド
２０  保持部
２１  背部
２２  壁部
２３  支持突起
２４  係止突起
２５  肩部
２７  円弧面
【図１】
2008110224.tif 000003
【図２】
2008110224.tif 000004
【図３】
2008110224.tif 000005
【図４】
2008110224.tif 000006
【図５】
2008110224.tif 000007
【図６】
2008110224.tif 000008
【図７】
2008110224.tif 000009
【図８】
2008110224.tif 000010
【図９】
2008110224.tif 000011
【図１０】
2008110224.tif 000012
【図１１】
2008110224.tif 000013
【図１２】
2008110224.tif 000014
【図１３】
2008110224.tif 000015